(57)【要約】【課題】長時間背負っても肩や腰などに負担がかかりにくい背負い鞄を提供する。【解決手段】本発明の背負い鞄１は、背当て部２の上方寄りの幅方向中間部に、縦長状に隆起した突部２１を設けたことを特徴とするものである。さらに、背当て部２の高さ方向中間部に、横方向に段状に隆起した段部２２を設けることもできる。背負い鞄１の具体的態様としては、背当て部２の上半分部分の幅方向中間部に、縦長長方形状に隆起させて断面台形状の突部２１を形成し、背当て部２の下半分部分に、上辺を横向きに広がる斜辺とした変形五画形状に隆起させて段部２２を形成することが好ましい。【選択図】図１
2012152270.tif 000002
【特許請求の範囲】
【請求項１】
背当て部の上方寄りの幅方向中間部に、縦長状に隆起した突部を設けた背負い鞄。
【請求項２】
背当て部の高さ方向中間部に、横向き段状に隆起した段部を設けた請求項１に記載の背負い鞄。
【請求項３】
背当て部の上半分部分に、前記突部の両側を凹ませて凹部を形成した請求項１又は２に記載の背負い鞄。
【請求項４】
背当て部の上半分部分の幅方向中間部を、縦長長方形状に隆起させて前記突部を形成し、背当て部の下半分部分を、上辺を横向きに広がる斜辺とした変形五画形状に隆起させて前記段部を形成した請求項２に記載の背負い鞄。
【請求項５】
背当て部を、十字状に隆起させて前記突部及び前記段部を形成した請求項２に記載の背負い鞄。
【請求項６】
背当て部の幅方向中間部を、縦長長方形状に隆起させて前記突部を形成し、前記突部の両側を、帆形状に凹ませて前記凹部及び前記段部を形成した請求項３に記載の背負い鞄。
【発明の詳細な説明】
【技術分野】
【０００１】
本発明は、ランドセル、リュックサックなどの背負い鞄に関する。
【背景技術】
【０００２】
従来のランドセル、リュックサックなどの背負い鞄は、背当て部にスポンジなどからなるクッション材を配し、背中への当たりを柔らかくしているものがある。しかし、背中は、曲面状であるため背負い鞄が背中にフィットせず、鞄が揺れ動きやすく肩や腰などに負担がかかることがあった。
そこで、背負い鞄の背当て部を曲面状に形成し、背中にフィットするようにした背負い鞄が開発されている（下記特許文献１，２参照）。
【先行技術文献】
【特許文献】
【０００３】
【特許文献１】特開２００７−２９５９６８号公報
【特許文献２】実用新案登録第３１２３０７０号公報
【発明の概要】
【発明が解決しようとする課題】
【０００４】
上記文献に示された背負い鞄の背当て部は、主に肩甲骨から腰にかけての曲線に合わせて形成されており、上下方向の振動に対しては鞄が揺れ動きにくいが、横方向の振動に対しては揺れ動きやすいものであり、従来と比べれば肩や腰などへの負担は軽減されるものの長時間背負った場合は、肩や腰などに負担がかかるものであった。
【０００５】
そこで、本発明の目的は、長時間背負っても肩や腰などに負担がかかりにくい背負い鞄を提供することにある。
【課題を解決するための手段】
【０００６】
本発明の背負い鞄は、背当て部の上方寄りの幅方向中間部に、縦長状に突出した突部を設けたことを特徴とするものである。
【０００７】
本発明の背負い鞄は、背当て部に縦長状の突部を設けたことにより、突部が両肩甲骨間に収まり、背負い鞄が動きにくくなり、長時間背負っても肩や腰などに負担がかかりにくい背負い鞄にすることができる。
【図面の簡単な説明】
【０００８】
【図１】本発明の第一実施形態の背負い鞄の背当て部側からの斜視図である。
【図２】図１の背負い鞄の突部付近の断面図である。
【図３】図１の背負い鞄の一変形例を示した背当て部側からの斜視図である。
【図４】本発明の第二実施形態の背負い鞄の背当て部側からの斜視図である。
【図５】本発明の第三実施形態の背負い鞄の背当て部側からの斜視図である。
【発明を実施するための形態】
【０００９】
以下、本発明の背負い鞄を、実施形態に基づいて説明する。
【００１０】
本発明の第一実施形態の背負い鞄１は、図１又は図２に示すように、背当て部２の上方寄りの幅方向中間部に、縦長状の縦突部２１を設けたものである。
背負い鞄１は、ランドセルやリュックサックなどとして用いることができる。
【００１１】
背当て部２の表面２ａは、背中の肩甲骨部分に合うように形成してあり、上半分部分に、幅方向中間部を縦長長方形状に隆起させた断面台形状の突部２１を形成し、下半分部分に、突部２１の下端から両側に向け横向きに広がる斜辺を有する変形五角形状に隆起させた段部２２を形成してある。また、突部２１の両側を、平面状の平面部２３としてある。突部２１は、背負い鞄１を背負った際に背中の背骨部分に接触し、両肩甲骨間に収まるように形成するのが好ましく、また、肩甲骨が突部２２及び段部２３で囲まれ、平面部２３に接触するように形成するのが好ましい。具体的には、突部２１及び段部２２は、表面２ａから５ｍｍ〜２０ｍｍ、特に８ｍｍ〜１２ｍｍ隆起させるのが好ましく、突部２１は、幅４０ｍｍ〜８０ｍｍ、特に６０ｍｍ前後に形成するのが好ましい。
【００１２】
突部２１及び段部２２は、変形しにくい素材、例えば、スポンジ材、ウレタン材などで形成するのが好ましく、平面状に形成した表面２ａに、適宜形状に形成したスポンジ材、ウレタン材などのクッション材を配し、その上側から表皮材を被覆し、表皮材を縫製、接着などで表面２ａに取り付けて形成することができる。また、突部２１及び段部２２は、表面２ａに用いる表皮材を予め型押し、その中にクッション材を詰めて形成することもできる。
【００１３】
このような背負い鞄１を背負った場合は、両肩甲骨間に縦長状に隆起した突部２１が収まるため、背負い鞄１が揺れ動きにくくなる。また、肩甲骨が、背当て部２の幅方向中間部で隆起した突部２１と背当て部２の高さ方向中間部で段状に隆起した段部２２とで囲まれるため、背負い鞄１が横及び上下方向のどちらにも揺れ動きにくくなる。
このように背負い鞄１は、肩甲骨の凹凸に合わせて背当て部２に凹凸を形成したため、横方向や上下方向に揺れ動きにくいものになる。
突部２１は、断面台形状に隆起して形成してあるが、肩甲骨間に収まり、フィットしやすくしてあればよく、断面円弧状や断面長方形状に隆起して形成してもよい。
【００１４】
背負い鞄１は、図３に示した変形例のように、背当て部２の上半分部分に縦長状の断面台形状の突部２１ａのみを設けた形態としてもよい。
【００１５】
なお、背負い鞄１の背当て部２以外に部分は、従来のランドセルやリュックサックなどの背負い鞄と同様に作製することができる。
【００１６】
図４には、本発明の第二実施形態の背負い鞄３が示されている。
背負い鞄３の背当て部４は、表面４ａを、背当て部４と略同幅及び略同高さの十字状に断面台形状に隆起させ、その縦部分を突部４１、その横部分を段部４２として形成してある。突部４１の両側は、平面状の平面部４３としてある。
【００１７】
このような背負い鞄３を背負った場合も、上記背負い鞄１と同様に、両肩甲骨間に突部４１が収まるため、背負い鞄３が揺れ動きにくくなる。また、肩甲骨が突部４１と段部４２とで囲まれるため、背負い鞄３が横及び上下方向にも揺れ動きにくくなる。
なお、背負い鞄３の他の部位は、上記背負い鞄１と同様に作製することができる。
【００１８】
図５には、本発明の第三実施形態の背負い鞄５が示されている。
背負い鞄５の背当て部６は、表面６ａの幅方向中間部を背当て部６と略同高さの縦長長方形状に隆起させて断面台形状の突部６１を形成し、背当て部６の突部６１両側に線対照に４つの凹部６２を形成し、三段状にしてある。上半分部分の凹部６２は帆形状に凹ませてあり、下半分部分の凹部６２は隅丸長方形状に凹ませてある。上半分部分に形成した凹部６２の下辺側段状部分を段部６３としてある。凹部６２は、背負い鞄５を背負った際に、肩甲骨が収まるように形成するのが好ましく、表面６ａから５ｍｍ〜２０ｍｍ、特に８ｍｍ〜１２ｍｍ凹ませるのが好ましい。
凹部６２は、表面６ａに用いる表皮材を予め型押し、その部分の内側のクッション材を薄くするなどして形成することができる。
【００１９】
このような背負い鞄５を背負った場合も、上記背負い鞄１と同様に、両肩甲骨間に突部６１が収まるため、背負い鞄５が揺れ動きにくくなる。また、肩甲骨が、突部６１と段部６３とで囲まれ、さらに、凹部６２に収まるため、背負い鞄５が横及び上下方向にも揺れ動きにくくなる。
なお、背負い鞄５の他の部位は、上記背負い鞄１と同様に作製することができる。
【００２０】
上記実施形態の構成態様は、本発明を限定するものとして挙げたものではなく、技術目的を共通にするかぎり変更は可能であり、本発明はそのような変更を含むものである。
【符号の説明】
【００２１】
１背負い鞄  ２背当て部  ２ａ表面  ２１突部  ２２段部  ２３平面部  ３背負い鞄４背当て部  ４ａ表面  ４１突部  ４２段部  ４３平面部  ５背負い鞄  ６背当て部  ６ａ表面  ６１突部  ６２凹部  ６３段部
【図１】
2012152270.tif 000003
【図２】
2012152270.tif 000004
【図３】
2012152270.tif 000005
【図４】
2012152270.tif 000006
【図５】
2012152270.tif 000007